(57)【要約】【課題】ゴム製グリップのクリーナ及び滑り止めを兼ねるウエットシートを提供する。【解決手段】水分と共にゴム柔軟剤を含水性シートに含浸させる。ゴム柔軟剤は、クリーナーを兼ねる即効性成分と遅効性成分を組み合わせ使用する。クリーナーを兼ねる即効性成分は、グリコールエーテルなどの低沸点水溶性溶剤であり、遅効成分はラバーオイルなどの高沸点溶剤である。【選択図】      なし【特許請求の範囲】
【請求項１】
水分と共にゴム柔軟剤を含水性シートに含浸させてなることを特徴とするウェットシート。
【請求項２】
前記ゴム柔軟剤はクリーナーを兼ねる請求項１に記載のウエットシート。
【請求項３】
前記ゴム柔軟剤は即効性成分と遅効性成分の組み合わせである請求項１に記載のウエットシート。
【請求項４】
前記即効性成分はクリーナーを兼ねる請求項３に記載のウエットシート。
【請求項５】
グリップクリーナーである請求項１に記載のウエットシート。
【発明の詳細な説明】
【０００１】
【発明の属する技術分野】
本発明はゴルフクラブやテニスラケット、野球バットなどに取り付けられているゴム製グリップの汚れ落としに適したウェットシートに関する。
【０００２】
【従来の技術】
ゴルフクラブに取り付けられているゴム製グリップの使用感を回復させるためにウエットシートで汚れを拭き取ることは従来から日常的に行われている。そのようなウェットシートは例えば特許文献１に記載されている。
【０００３】
【特許文献１】
特開２００２−１１２９１７号公報
【０００４】
【発明が解決しようとする課題】
ゴム製グリップをウェットシートで拭いた場合、汚れは除去される。しかし、新品のときのような密着感、粘着感までは得られない。
【０００５】
十分な密着感、粘着感を得るためには、松ヤニなどの粘着性樹脂を滑り止め剤としてグリップ表面に付着させる必要がある。しかし、滑り止め剤はグリップ表面の汚れを助長することになり、手やグローブを汚す原因にもなるため、清潔感に欠ける。加えて、滑り止め剤を上手く塗るには熟練を要し、簡便性にも欠ける。
【０００６】
本発明の目的は、ゴム製グリップの汚れ落としと同時に、滑り止めを清潔かつ簡便に行うことができるウェットシートを提供することにある。
【０００７】
【課題を解決するための手段】
本発明のウエットシートは、水分と共にゴム柔軟剤を含水性シートに含浸させたものである。即ち、含水性シートに含浸させる液体組成物が、水以外に少なくともゴム柔軟剤を含むのである。
【０００８】
本発明のウェットシートでゴム製グリップの表面を拭くと、その表面に付着する汚れが除去されると同時に、露出した清浄なゴム面がゴム柔軟剤の作用により柔軟性を回復する。即ち、ゴム製グリップの表面に付着する汚れを拭き取るだけで新品のときのような密着感、粘着感まで得ることができるのである。
【０００９】
ゴム柔軟剤はゴムの表面に作用して柔軟性を与える薬剤であり、即効成分と遅効成分に大別される。即効成分は、汚れを除去し、且つゴムに対して浸透性をもつ低沸点の水溶性溶剤であり、ゴム表面の汚れを除去するクリーナーを兼ねる。遅効成分は、クリーナーを兼ねる即効成分は単独使用でき、遅効成分と組み合わせて使用するのが特に好ましい。遅効成分は、ゴムになじみやすい高沸点溶剤であり、代表的にはゴム可塑剤である。
【００１０】
クリーナーを兼ねる即効性成分である低沸点の水溶性溶剤としては、アセトンなどのケトン類や、エチレングリコールモノメチルエーテル（メチセロ）、エチレングリコールモノエチルエーテル（エチセロ）、エチレングリコールモノブチルエーテル（ブチセロ）、プロピレングリコールモノメチルエーテル、プロピレングリコールモノエチルエーテル、プロピレングリコールモノブチルエーテルなどの多価アルコール誘導体などを挙げることができる。
【００１１】
これらは、ウエットシートに通常含有されるクリーナー専用のアルコール類（エタノール、プロピルアルコールなど）とは異なる。
【００１２】
一方、遅効成分である高沸点溶剤としては、ジブチルジグリコールアジベート（ＢＸＡ）、ジブチルアジベート（ＤＢＡ）、ジブチルフタレート（ＤＢＰ）などのゴム可塑剤を挙げることができる。また、ジエチレングリコールモノエチルエーテル（カルビトール）などの沸点の高い多価アルコールなどの使用も可能である。また、この成分は水溶性でなくとも、低沸点の水溶性溶剤を媒体として相溶すれば使用可能である。
【００１３】
ゴム柔軟剤としては、クリーナーを兼ねる即効性成分又は遅効成分の何れかを使用すればよいが、クリーナーを兼ねる即効性成分の使用が好ましく、遅効成分との組み合わせ使用が特に好ましい。遅効成分の単独使用も可能であるが、その場合は前述したクリーナー専用のアルコール類との組み合わせ使用が好ましい。また、即効成分を使用する場合にあってもクリーナー専用のアルコール類との組み合わせ使用は可能である。
【００１４】
なお、ゴム柔軟剤以外の成分としては、前述したクリーナー専用のアルコール類の他、ウェットシートに通常使用されるメチルパラベン、エチルパラベンなどの防腐剤などを適宜使用することができる。
【００１５】
含水性シートに含浸させる液体組成物の組成としては、重量％で「低沸点水溶性溶剤（クリーナーを兼ねる即効性のゴム柔軟剤）：１０〜５０％、高沸点溶剤（遅効性のゴム柔軟剤）：１〜１０％、防腐剤：０．０５〜０．２％、残り：水」が好ましい。
【００１６】
ちなみに、低沸点水溶性溶剤が１０％未満の場合は、クリーナー効果が弱くなり、且つ塗布後の滑り止め効果が十分でない。５０％超の場合は、クリーナー効果は強くなるが、ゴムを劣化させたり乾燥が早くなり過ぎることがある。高沸点溶剤が１％未満の場合は持続的な効果が弱くなる。１０％超の場合は塗布後のベタツキが起きたりゴムが柔らかくなり過ぎることがある。
【００１７】
液体組成物の含浸量としては含水性シート重量の１〜４倍が好ましい。これが少ないと使用時に効果が発揮できず、から拭きと同様になる危険がある。多すぎる場合はペーパーを取り出したときに液が垂れたり入れ物のなかに液が残ったりする。また塗布時にベタツキを感じるようになる危険がある。
【００１８】
含水性シートとしては不織布の他に紙、織布などを用いることができる。
【００１９】
本発明のウェットシートは、ボックスティッシュのように箱詰めとすることができるが、不透湿パック内に封入するのが携帯性に優れ好ましい。
【００２０】
【発明の実施の形態】
以下に本発明の実施形態を図面に基づいて説明する。図１及び図２は本発明のウェットシートの代表的な使用形態の説明図である。
【００２１】
図１に示すように、本ウエットシート１はグリップクリーナーであり、所定枚数が小さく折り畳まれて不透湿パック２内に封入されている。このウェットシート１は、所定組成の液体組成物（低沸点水溶性溶剤としてのプロピレングリコールモノメチルエーテル：３０％、高沸点溶剤としてのジエチレングリコールモノエチルエーテル：３％、防腐剤としてのメチルパラベン：０．２％、イオン交換水：６６．８％）を、含水性シート（レーヨン・パルプ・ポリエステルの混合不織布）にシート重量の２倍比で含浸させたものである。
【００２２】
使用時には、図１及び図２に示すように、不透湿パック２のシール３を剥がして取り出し口４をあけ、ウエットシート１を１枚ずつ取り出す。取り出したウエットシート１で例えばゴルフクラブのゴム製グリップ５を拭く。グリップの表面に付着する汚れが水分及び低沸点水溶性溶剤により除去される。汚れが除去されたゴム表面に低沸点水溶性溶剤が作用し、その表面の柔軟性が回復する。更に、その柔軟性が高沸点溶剤により６０日以上の長期にわたって維持される。
【００２３】
高沸点溶剤を配合しなかった場合も一応、クリーナー効果があり、柔軟効果も使用当初は得られる。しかし、低沸点水溶性溶剤が揮発し、６〜１０日程度で柔軟効果が失われる。また、ゴム中の柔軟剤を流出させることにより、ゴムを劣化させる危険もある。この点から高沸点溶剤との組み合わせ使用が望まれる。
【００２４】
【発明の効果】
以上に説明したとおり、本発明のウエットシートは、水分と共にゴム柔軟剤を含水性シートに含浸させたことにより、例えばゴム製グリップのクリーナーとして使用して、表面に付着する汚れを拭き取るだけで、新品のときのような密着感、粘着感を得ることができる。しかも、滑る止め剤を使用するときのような煩わしさもべたつきも伴わない。即ち、本発明のウエットシートは、極めて手軽に使用できるクリーナー兼滑り止めである。
【図面の簡単な説明】
【図１】本発明のウェットシートの代表的な使用形態の説明図である。
【図２】本発明のウェットシートの代表的な使用形態の説明図である。
【符号の説明】
１  ウエットシート
２  不透湿パック
３  シール
４  取り出し口
５  ゴム製グリップ
【図１】
2004350738.tif 000002
【図２】
2004350738.tif 000003